(57)【特許請求の範囲】
【請求項１】
所定の情報を出力する本体部と、前記本体部を外部物品に装着するクリップ部と、を備える携帯電子機器において、
前記クリップ部は、第１の挟持部と、前記第１の挟持部と対向して配置される第２の挟持部と、前記第１の挟持部及び前記第２の挟持部の後端側に配置され、前記第１の挟持部と前記第２の挟持部とを相対的に回動可能に連結する連結部と、を有し、
前記第１の挟持部は、先端側に電池を収納する電池収納部と、前記電池収納部に嵌合し、前記第２の挟持部と対向する面に設けられた電池受け部と、を有し、前記第２の挟持部は、前記電池受け部と対向する位置に固定部を有し、
前記固定部は、前記第１の挟持部に向って突出する固定用凸部を有し、
前記電池受け部は、前記第２の挟持部に向って突出するとともに電池受け部を取り外す方向に対して交差する方向に突出し前記固定用凸部よりも幅広に形成された着脱用凸部を有し、
前記連結部は、弾性部材を有し、前記電池受け部と前記固定用凸部とを接触させる方向へ回動付勢し、
前記固定用凸部は、前記着脱用凸部の設けられている位置よりも先端側に配置されている、
ことを特徴とする携帯電子機器。
【請求項２】
前記連結部が前記電池受け部と前記固定用凸部とを接触させる方向へ回動付勢する際、前記固定用凸部の先端部と前記電池受け部とが当接することを特徴とする請求項１に記載の携帯電子機器。
【請求項３】
前記固定用凸部と前記着脱用凸部とが噛み合うことを特徴とする請求項１から２のいずれか１項に記載の携帯電子機器。
【請求項４】
前記固定部は、ラバーで構成されるパッド部を有することを特徴とする請求項１から３のいずれか１項に記載の携帯電子機器。
【請求項５】
前記本体部は、前記第１の挟持部の前記第２の挟持部と対向する面と反対の面側に配置されることを特徴とする請求項１から４のいずれか１項に記載の携帯電子機器。
【請求項６】
前記本体部と前記第１の挟持部とは、一体に形成され、
前記本体部は、前記第１の挟持部の前記第２の挟持部と対向する面と反対の面に設けられることを特徴とする請求項５に記載の携帯電子機器。
【請求項７】
前記電池受け部は、前記第１の挟持部の側面の一部を構成するとともに、前記電池収納部からスライドして着脱することを特徴とする請求項１から６のいずれか１項に記載の携帯電子機器。
【請求項８】
前記電池受け部は、前記第１の挟持部の先端の側面の一部を構成するとともに、前記第１の挟持部の先端の方向へスライドすることを特徴とする請求項７に記載の携帯電子機器。
【請求項９】
拍子音を発音する発音部を有するメトロノームであることを特徴とする請求項１から８のいずれか１項に記載の携帯電子機器。
【請求項１０】
楽器の操作により生じた振動を検知する振動センサを有する調律器であることを特徴とする請求項１から９のいずれか１項に記載の携帯電子機器。
【発明の詳細な説明】
【技術分野】
【０００１】
本発明は、歩数計、音楽用電子機器等の携帯電子機器に関するものである。
【背景技術】
【０００２】
従来から、幼児等が携帯電子機器のケース本体から電池を取り出して飲み込むことを防止する電池受け部が開発されている。例えば、ケース本体において、電池受け部の嵌合突起部と嵌合する嵌合開口部を設け、嵌合開口部にコインを挿入すると嵌合状態を解除する電池受け部が開示されている（例えば、特許文献１）。また、電池受け部をケースから外すためにロック機構を設けた携帯電子機器が開示されている（例えば、特許文献２）。これにより、単純な動作で電池を取り出すことを防止できる。
【先行技術文献】
【特許文献】
【０００３】
【特許文献１】特開平９−４５３０２号公報
【特許文献２】特開平１１−２１３９７５号公報
【発明の概要】
【発明が解決しようとする課題】
【０００４】
ところで、この携帯電子機器は、電池受け部の嵌合状態を解除するために、コイン等を用いなければならなかった。このため、電池受け部の嵌合状態を解除するための部品が手元にない場合、電池を取り出すことができないという問題があった。また、ロック機構などを設けた場合、電池受け部及びケースが複雑な構成になるとともに、ロック機構を配置するためのスペースを確保する必要がある。
【０００５】
この発明はこのような課題に鑑みてなされたものであって、電池受け部を外すための部品や複雑な構成を必要とせず、幼児等が簡単に電池を取り出すことを防止する電池受け部を備える携帯電子機器を提供することを目的とする。
【課題を解決するための手段】
【０００６】
上記課題に鑑みて、本発明は以下の手段を提案している。
本発明に係る携帯電子機器は、所定の情報を出力する本体部と、前記本体部を外部物品に装着するクリップ部と、を備える携帯電子機器において、前記クリップ部は、第１の挟持部と、前記第１の挟持部と対向して配置される第２の挟持部と、前記第１の挟持部及び前記第２の挟持部の後端側に配置され、前記第１の挟持部と前記第２の挟持部とを相対的に回動可能に連結する連結部と、を有し、前記第１の挟持部は、先端側に電池を収納する電池収納部と、前記電池収納部に嵌合し、前記第２の挟持部と対向する面に設けられた電池受け部と、を有し、前記第２の挟持部は、前記電池受け部と対向する位置に固定部を有し、前記固定部は、前記第１の挟持部に向って突出する固定用凸部を有し、前記電池受け部は、前記第２の挟持部に向って突出するとともに電池受け部を取り外す方向に対して交差する方向に突出し前記固定用凸部よりも幅広に形成された着脱用凸部を有し、前記連結部は、弾性部材を有し、前記電池受け部と前記固定用凸部とを接触させる方向へ回動付勢し、前記固定用凸部は、前記着脱用凸部の設けられている位置よりも先端側に配置されている、ことを特徴とする。
【０００７】
本発明は、電池を取り出すために、クリップ部を開き、前記電池受け部と固定部とを離間させ、離間した状態で前記電池受け部を外す。また、通常は前記クリップ部が閉じた状態となり、この状態では前記電池受け部を外し難くなる。これにより、前記電池受け部を外すための部品や複雑な構成を必要とせず、幼児等が簡単に電池を取り出すことを防止することができる。
【０００８】
また、前記連結部が前記電池受け部と前記固定用凸部とを接触させる方向へ回動付勢する際、前記固定用凸部の先端部と前記電池受け部とが当接する構成にしてもよい。
前記固定用凸部により、前記電池受け部を確実に固定することができ、前記電池受け部の着脱防止が可能となる。また、前記固定用凸部により、外部物品を挟持しやすくなる。
【０００９】
また、前記電池受け部は、着脱用凸部または着脱用凹部を有してもよい。
前記着脱用凸部は、電池受け部の着脱時に指係りとして用いることができる。そのため、前記電池受け部の着脱を容易にすることができる。また、前記固定用凸部により、外部物品を挟持しやすくなる。
【００１０】
また、前記固定部と前記電池受け部とが噛み合う構成にしてもよい。
この構成により、より確実に電池受け部を固定することができる。
【００１１】
また、前記固定部は、ラバーで構成されるパット部を有してもよい。前記パッド部が前記電池受け部に当接した際に、前記パッド部の前記電池受け部に対する摩擦力が向上するため、前記電池受け部の容易な着脱を防止することができる。
【００１２】
前記本体部は、前記第１の挟持部の前記第２の挟持部と対向する面と反対の面側に配置される構成にしてもよい。
この構成により、電池と本体部とは、第１の挟持部に配置されることとなる。そのため、本体部に電源を供給するための配線を、第２の挟持部に本体部を配置した場合に比べて単純にできる。
【００１３】
前記本体部と前記第１の挟持部とは、一体に形成され、前記本体部は、前記第１の挟持部の前記第２の挟持部と対向する面と反対の面に設けられる構成にしてもよい。
この構成により、本体部に電源を供給するための配線をより単純にできる。
【００１４】
前記電池受け部は、前記第１の挟持部の側面の一部を構成するとともに、前記電池収納部に対してスライドして前記電池収納部から着脱する構成にしてもよい。
電池受け部は第１の挟持部の側面の一部まで設けられているため、電池の着脱が容易となる。
【００１５】
前記電池受け部は、前記第１の挟持部の先端の側面の一部を構成するとともに、前記第１の挟持部の先端の方向へスライドする構成にしてもよい。
この場合、電池受け部はクリップ部が最も開く第１の挟持部の先端部の方向へ電池受け部を着脱することができるため、電池受け部の着脱を容易にすることができる。
【００１６】
本発明に係る携帯電子機器は、拍子音を発音する発音部を有するメトロノームであってもよい。
メトロノームがクリップ部を有するため、譜面台などの見やすい位置に取り付けた状態で使用できる。
【００１７】
本発明に係る携帯電子機器は、楽器の操作により生じた振動を検知する圧電センサを有する調律器であってもよい。
この場合、楽器をクリップ部で挟持して、楽器が楽音を発するときに生じる楽器自体の振動を圧電センで検出し、楽音を判定する。そのため、楽器から直接振動を拾うのでマイクロフォンなどを用いた場合に楽音以外の周辺音を同時に拾って誤判定するようなことを防げる。
【図面の簡単な説明】
【００１８】
【図１】第１の実施形態に係る携帯電子機器の側面図である。
【図２】第１の実施形態に係る電池受け部を示す図である。
【図３】第１の実施形態に係る第１挟持部の平面図である。
【図４】第１の実施形態に係る電池受け部を外す動作を示す図である。
【図５】第２の実施形態に係る携帯電子機器の側面図である。
【図６】第２の実施形態に係る電池受け部の平面図である。
【図７】第２の実施形態に係る電池受け部の変形例の平面図である。
【図８】第３の実施形態に係る携帯電子機器の側面図である。
【発明を実施するための形態】
【００１９】
以下、図面を参照して、本発明の携帯電子機器について説明する。図１は、第１の実施形態に係る携帯電子機器の側面図である。また、図２（ａ）は電池受け部の平面図、図２（ｂ）は図２（ａ）のＡＡ線の断面図である。図３は第１挟持部の平面図である。
【００２０】
図１に示すように、携帯電子機器１００は、所定の情報を出力する本体部３０と、本体部３０を外部物品に装着するクリップ部１０と、を備えている。
携帯電子機器１００は、例えば、メトロノーム、調律器、音楽用再生携帯電子機器などの音楽用携帯電子機器、歩数計、またはストップウオッチなどである。
【００２１】
本体部３０は、例えば、表示部、発音部などの出力部、または携帯電子機器の起動、操作を行う操作部などである。例えば表示部の場合、メーター、ＬＥＤ、ＬＣＤ表示器などが使用される。
クリップ部１０は、第１の挟持部１１と、第１の挟持部１１と対向して配置される第２の挟持部１２とを備える。また、クリップ部１０は、第１の挟持部１１及び第２の挟持部１２の後端側に配置され、第１の挟持部１１と第２の挟持部１２とを相対的に回動可能に連結する連結部２０を備える。
【００２２】
第１の挟持部１１は、先端側に電池４０を収納する電池収納部１３と、電池収納部１３に嵌合し、第２の挟持部１２と対向する面に設けられた電池受け部１４と、を有している。
第２の挟持部１２は、電池受け部１４と対向する位置に固定部を有している。本実施形態では、固定部は、固定用凸部１５を有している。
【００２３】
連結部２０は、弾性部材２１を有し、電池受け部１４と固定部とを接触させる方向へ回動付勢する。また、連結部２０は、第１の挟持部１１と第２の挟持部１２とを接続する接続部２２を有している。弾性部材２１は、例えばコイルバネや板バネなどで構成される。  接続部２２は、第１の挟持部１１と第２の挟持部１２との対向する面上に構成されるとともに、これら第１の挟持部１１及び第２の挟持部１２のそれぞれに対向する面に平行な回転軸を有している。これによって、第１の挟持部１１及と第２の挟持部１２とが対向状態を維持しつつ、回転軸を支点として互いに相対回動するようになっている。
【００２４】
本実施形態では、本体部３０と第１の挟持部１１とは、一体に形成されている。また、本体部３０は、第１の挟持部１１の第２の挟持部１２と対向する面と反対の面に設けられている。
図３に示すように、第１の挟持部１１は、矩形平板状に形成されている。また、第２の挟持部１２は、第１の挟持部１１と同様に矩形平板状に形成されている。
【００２５】
また、図３に示すように、電池受け部１４は着脱用凸部１６を有している。また、電池受け部１４は、第１の挟持部１１の側面の一部を構成している。本実施形態では、電池受け部１４は第１の挟持部１１の先端の側面の一部を構成している。電池受け部１４は、図２、３に示すように、第１の挟持部１１の第２の挟持部１２と対向する面の一部を形成する電池着脱部１８を有する。着脱用凸部１６は、電池着脱部１８に設けられている。電池着脱部１８は、図２（ａ）に示すように、開口部が設けられている。この開口部は、電池が配置される部分である。また、電池受け部１４は電池を挿入する電池挿入部１９を有する。電池挿入部１９は、端部に嵌合部１７を備える。本実施形態では、嵌合部１７は、２つの嵌合突起で構成される。この場合、電池収納部１３には、各嵌合突起と嵌合する図示しない嵌合凹部が設けられる。また、電池受け部１４は、本実施形態では、コイン形電池を配置する。
【００２６】
電池４０は、電池挿入部１９から挿入され、電池着脱部１８の開口部に配置される。その後、電池受け部１４は、電池収納部１３にスライドして挿入される。この際、嵌合部１７と嵌合凹部とが嵌合し、電池受け部１４が電池収納部１３に固定される。
なお、電池受け部１４の形状は、本実施形態に限定されるものではなく、乾電池などの様々な電池４０を配置する形状に構成することができる。
【００２７】
通常、連結部２０は、弾性部２１によって第１の挟持部１１の先端に設けられる電池受け部１４と第２の狭持部１２の先端に設けられる固定部とを接近させる方向に回動付勢している。これにより、電池受け部１４と固定部とが当接してクリップ部１０が閉じている。
【００２８】
また、第２の挟持部１２の後端側と第１の挟持部１１の後端側とを接近させる方向に外力を加えると、電池受け部１４と固定部とが離間し、クリップ部１０が開いて、外部物品を挟持することが可能になる。なお、このとき、着脱用凸部１６及び固定用凸部は、外部物品を挟持する挟持用凸部として用いられる。
【００２９】
電池受け部を電池収納部から外し、電池を取り出す動作について説明する。図４は、電池受け部を外す動作を示す図である。
まず、図４（ａ）に示すとおり、固定部を電池受け部１４から離間させる方向（図４（ａ）に示す矢印の方向）に、第２の挟持部１２を第１の挟持部１１に対して相対回動させ、クリップ部１０を開いた状態にする。これにより、固定部による電池受け部１４の固定が解除され、電池受け部１４を外すことが可能となる。
【００３０】
次に、図４（ｂ）に示すとおり、電池受け部１４の着脱凸部１６に指をかける。電池受け部１４を電池収納部１３に対して第１の挟持部１１の先端の方向（図４（ｂ）に示す矢印方向）にスライドさせる。これにより、電池受け部１４が電池収納部１３から外れ、電池４０を取り出すことができる。
【００３１】
これにより、電池受け部１４を外すための部品や複雑な構成を必要とせず、幼児等が簡単に電池を取り出すことを防止することができる。また、固定用凸部１５により、電池受け部１４を確実に固定することができ、電池受け部１４の着脱防止が可能となる。また、固定用凸部１５により、外部物品を挟持しやすくなる。また、着脱用凸部１６は、電池受け部１４の着脱時に指係りとして用いることができる。そのため、幼児等が簡単に電池を取り出すことを防止するとともに、電池受け部１４の着脱を容易にすることができる。また、固定用凸部１５により、外部物品を挟持しやすくなる。
【００３２】
また、電池４０と本体部３０とは、第１の挟持部１１に配置されることとなる。そのため、本体部３０に電源を供給するための配線を、第２の挟持部１２に本体部３０を配置した場合に比べて単純にできる。また、本体部３０と第１の挟持部１１とが一体となっているため、本体部に電源を供給するための配線をより単純にできる。
また、電池受け部はクリップ部が最も開く第１の挟持部の先端部の方向へ電池受け部を着脱することができるため、電池受け部の着脱を容易にすることができる。
【００３３】
次に、第２の実施形態に係る携帯電子機器について説明する。なお、第１の実施形態と同様の構成になる部分については、その詳細な説明を省略する。図５は、第２の実施形態に係る携帯電子機器を示す図であり、図６は第２の実施形態に係る電池受け部の平面図である。
【００３４】
本実施形態では、第１の挟持部１１及び第２の挟持部１２の先端にそれぞれ挟持用凸部２６、挟持用凸部２５が形成される。これにより、外部物品を挟持しやすくなる。なお、本実施形態では、挟持用凸部２５、２６はそれぞれ固定用凸部、着脱用凸部の後方に配置されているが、それぞれの位置関係はこれに限られない。
【００３５】
また、図５に示すように、固定用凸部１５と着脱用凸部１６とが噛み合っている。すなわち、クリップ部１０が閉じたとき、固定用凸部１５と着脱用凸部１６とが、並んで配列される構成となっている。これにより、確実に電池受け部１４を固定することができる。
【００３６】
また、電池受け部１４の着脱用凸部１６、固定部の固定用凸部１５は、それぞれ挟持用凸部２６、２５と同様に狭持用の凸部として用いることができる。また、本実施形態の場合、狭持用凸部２６は、着脱用凸部として用いられる。また、電池受け部１４の着脱用凸部１６、狭持用凸部２６は、図６に示すとおり、列状に配列されて、波状構造に形成されている。また、固定用凸部１５、狭持用凸部２５についても列状に配列してもよい。これにより、より確実に外部物品を狭持することができる。なお、着脱用凸部１６、固定用凸部１５、狭持用凸部２６、２５は、本実施形態に限られず、それぞれ複数の列で構成されてもよい。また、固定用凸部１５のみが、列状に形成される構成でもよい。この場合においても、電池受け部の容易な着脱防止が可能である。
【００３７】
図７は、第２の実施形態に係る電池受け部の変形例を示す図である。本実施例においては、着脱用凸部１６、狭持用凸部２６がそれぞれ、一直線状に配列されず、第１の挟持部１１の先端側から後端側に向かって傾斜して配列されている。すなわち、着脱用凸部１６、挟持用凸部２６が第１の挟持部１１の側面と平行に近づくように配列される。電池受け部１４がスライドしたとき、一直線状に配列されたときは一定の方向に対して摩擦力が生じるのに対し、本実施例の場合は複数の方向に対して摩擦力が生じる。そのため、電池受け部１４がスライドする方向以外にも摩擦力が生じる。これにより、例えば外部物品を挟持した状態で、第１の挟持部１１の先端方向に向かってスライドさせ、クリップ部１０から引き抜くとき、電池受け部１４には外部物品を引き抜く方向以外にも摩擦力が生じるため、電池受け部１４の着脱防止が向上される。また、固定用凸部１５、挟持用凸部２５についても同様の列状に配列してもよい。
なお、着脱用凸部１６、挟持用凸部２６の形状は本実施形態に限らず、例えば曲線状に配列されてもよい。
【００３８】
次に、第３の実施形態に係る携帯電子機器について説明する。なお、第１の実施形態と同様の構成になる部分については、その詳細な説明を省略する。図８は、第３の実施形態に係る携帯電子機器を示す図である。
【００３９】
本実施形態では、本体部３１と第１の挟持部１１とが別体で構成されている。また、本体部３１と第１の挟持部１１とは、それぞれの後端側で接続され、本体部３１が第１の挟持部１１に対して回動自在に支持されている。これにより、例えば、本体部３１は表示部、操作部等の場合、視認しやすい方向に向けることができる。
【００４０】
また、本体部３０は、第１の挟持部１１の第２の挟持部１２と対向する面と反対の面側に配置される。これにより、本体部３１に電源を供給するための配線をより単純にできる。なお、本体部３１は、第１の挟持部１１に固定されていればよく、例えば、第１の挟持部１１が本体部３１に嵌合して固定されていてもよい。
【００４１】
本発明において、携帯電子機器１００は、例えば、拍子音を発音する発音部を有するメトロノームである。メトロノームがクリップ部を有するため、譜面台などの見やすい位置に取り付けた状態で使用できる。また、第１の挟持部１１の第２の挟持部１２と対向する面に発音部を設ける構成でもよい。この場合、第１の挟持部１１から発音された音が、第２の挟持部またはクリップ部１０で挟持する譜面台などの外部物品に反射することで音量が大きくなる効果がある。
【００４２】
また、携帯電子機器１００は、楽器の操作により生じた振動を検知する振動センサを有している調律器であってもよい。また、この場合、本体部が表示部を含む構成でもよい。すなわち、本体部の内部には、電気回路や振動センサ（図示省略）が内蔵されている。楽器の演奏時には空気を伝搬する振動が振動センサによって検知され、この検知に基づく電気信号が増幅回路により所望のレベルの電気信号に増幅されてピッチ抽出手段に入力される。このピッチ抽出手段は、例えば「入力された信号の中で最も周期が長い基本波成分の周期を計測する」というような命令が記憶されているメモリとマイクロコンピュータで実現される。
【００４３】
続いて、このピッチ抽出手段において計測されたピッチと予め設定されている基準ピッチがピッチ誤差検出手段に入力される。このピッチ誤差検出手段は「入力された周波数の差を計算する」という命令が記憶されているメモリとマイクロコンピュータによって実現される。そして、このピッチ誤差検出手段において計算された周波数偏差の値に応じて、表示部に結果が表示される。この場合、楽器をクリップ部で挟持して、楽器が楽音を発するときに生じる楽器自体の振動を振動センサで検出し、楽音を判定する。そのため、楽器から直接振動を拾うのでマイクロフォンなどを用いた場合に楽音以外の周辺音を同時に拾って誤判定するようなことを防げる。
以上、本発明に係る携帯電子機器について詳細に説明したが、本発明の技術的思想を逸脱しない限り、これらに限定されることはない。
【００４４】
例えば、着脱用凸部１６は設けられなくてもよい。この場合においても、電池受け部が容易に外れてしまうことを防止できる。また、固定用凸部１５は設けられなくてもよい。この場合、例えば、第２の挟持部１２の端部が固定部となり、電池受け部１４を固定することができる。
【００４５】
また、電池受け部と固定部が噛み合う構成は、固定用凸部と着脱用凸部が噛み合う構成に限らない。例えば、電池受け部に着脱用凹部が設けられ、固定部に固定用凸部が設けられる構成でもよい。また、電池受け部に着脱用凸部が設けられ、固定部に固定用凹部が設けられる構成でもよい。この構成でも、固定部と電池受け部とは噛み合うため、より確実に電池受け部を固定することができる。また、この構成においても、固定用凸部、固定用凹部は、それぞれ電池受け部と当接し、電池受け部の容易な着脱を防止できるため、固定部として機能する。
【００４６】
また、固定部は、例えば、ラバーで構成されるパット部を有してもよい。パッド部が電池受け部に当接した際に、パッド部の電池受け部に対する摩擦力が向上するため、電池受け部の容易な着脱を防止することができる。また、電池受け部に、固定部と対向する位置にパッド部を有してもよい。これにより、外部物品を狭持しやくなる。また、クリップ部が閉じた状態で、外力を受けたときに電池受け部を着脱する際の摩擦力が向上し、電池受け部の容易な着脱防止が図れる。
【００４７】
また、電池受け部が、着脱用凸部ではなく、着脱用凹部を有する構成でもよい。この場合も、着脱用凹部は、指係りとして電池受け部の着脱を容易にすることができる。
また、本体部３０は、必ずしも第１の挟持部１１の第２の挟持部１２と対向する面と反対の面側に配置される必要はない。例えば、第１の挟持部１１の第２の挟持部１２と対向する面に配置されてもよい。この場合、本体部は発音部で構成されている。
【００４８】
また、電池受け部１４は、第１の挟持部１１の先端の側面の一部を構成するとともに、必ずしも第１の挟持部１１の先端の方向へスライドする必要はない。すなわち、電池受け部１４は、第１の挟持部１１の他の側面の一部を構成するとともに、収納部に対してスライドして電池収納部１３から着脱してもよい。例えば、電池受け部１４は、第１の挟持部１１の側面方向にスライドして電池収納部１３から着脱する。この場合、例えば外部物品を挟持した状態で、第１の挟持部１１の先端方向に向かってスライドさせ、クリップ部１０から引き抜くとき、電池受け部１４には外部物品を引き抜く方向以外に摩擦力が生じるため、電池受け部１４の着脱防止が向上される。
また、電池受け部１４は、必ずしもスライドして着脱する必要はなく、電池収納部１３と嵌合固定されていればよい。
【符号の説明】
【００４９】
１０    クリップ部
１１    第１の挟持部
１２    第２の挟持部
１３    電池収納部
１４    電池受け部
１５    固定用凸部
１６    着脱用凸部
１７    嵌合部
１８    電池着脱部
１９    電池配置部
２０    連結部
２１    弾性体
２２    接続部
２５、２６、２７    挟持用凸部
３０、３１    本体部
１００    携帯電子機器
【図１】
0006017186.tif 000002
【図２】
0006017186.tif 000003
【図３】
0006017186.tif 000004
【図４】
0006017186.tif 000005
【図５】
0006017186.tif 000006
【図６】
0006017186.tif 000007
【図７】
0006017186.tif 000008
【図８】
0006017186.tif 000009